(57)【要約】      （修正有）【課題】磁石の互いの引力、又は斥力を利用して、ブラシと回転軸との間の接触力を制御することが可能であり、バネを無くすことにより、全体構造の体積が小さくなる回転式電気導通装置を提供する。【解決手段】それぞれ一つの第１磁石１１が設けられており、その一端がワイヤ１２を介して導電片２０と電気的に接続している少なくとも一つのブラシ１０と、各ブラシ１０の導電片２０から遠ざかった他端がスライド可能に連接している少なくとも一つの回転軸３０と、を含む。【選択図】図１
0003198283.tif 000002
【実用新案登録請求の範囲】
【請求項１】
それぞれ一つの第１磁石が設けられており、その一端がワイヤを介して導電片と電気的に接続している少なくとも一つのブラシと、
前記各ブラシの前記導電片から遠ざかった他端がスライド可能に連接している少なくとも一つの回転軸と、
を含むことを特徴とする回転式電気導通装置。
【請求項２】
前記各第１磁石は、前記各ブラシの前記各導電片に近接する一端に設けられており、前記各導電片には、前記第１磁石に対向する第２磁石が設けられており、前記第１磁石と前記第２磁石との磁性が同じであり、前記各第１磁石と前記各第２磁石は、電磁石、又は永久磁石であることを特徴とする、請求項１に記載の回転式電気導通装置。
【請求項３】
前記各第１磁石は、前記各ブラシの前記各回転軸に近接する一端に設けられており、前記各回転軸には、前記第１磁石に対向する第３磁石が設けられており、前記第１磁石と前記第３磁石との磁性が相反し、前記各第１磁石と前記各第３磁石は、電磁石、又は永久磁石であることを特徴とする、請求項１に記載の回転式電気導通装置。
【請求項４】
前記各ブラシと前記各回転軸とは導電構造であり、前記導電構造は、金属の導電構造、又は非金属の導電構造であり、前記各ブラシは、前記各回転軸の軸方向に平行し、又は垂直し、前記各ブラシと前記各回転軸との間に黒鉛が組み付けられていることを特徴とする、請求項１に記載の回転式電気導通装置。
【考案の詳細な説明】
【技術分野】
【０００１】
本考案は、回転式電気導通装置に関し、特に、従来の構造のバネの代わりに磁石の互いの引力、又は斥力を利用して、ブラシと回転軸との間の接触力を制御することが可能であり、全体構造の体積が小さくなり、磁石が過熱になると磁性が減少し、又は無くなり、これにより、過電流保護装置を形成することが可能な回転式電気導通装置に関するものである。
【背景技術】
【０００２】
カーボンブラシ（Ｃａｒｂｏｎ  ｂｒｕｓｈ）は、電動機、発電機、又はその他の回転機械の回転部材と静止部材との間にエネルギーや信号を伝える装置であり、スライド型の接触体である。図４及び図５に示したのは、二種類の従来のカーボンブラシの構造であり、バネ１により、少なくとも一つのカーボンブラシ２が少なくとも一つのシャフト３に押付ける。各カーボンブラシ２の上部にワイヤ４が電気的に接続している。各シャフト３と各カーボンブラシ２との材質は、銅又はアルミを採用する。
【０００３】
しかしながら、従来のカーボンブラシの構造は、バネ１により、少なくとも一つのカーボンブラシ２が少なくとも一つのシャフト３に押付けるため、バネ１を使用することにより、カーボンブラシ全体の体積が大きくなる。そしてバネ１を利用すると、カーボンブラシ２の接触力を制御することができないため、各シャフト３と各カーボンブラシ２とが磨耗しやすく、寿命が短くなる。カーボンブラシ２とシャフト３とが磨耗されると、取り替え作業を行うことが必要となる。
【考案の概要】
【考案が解決しようとする課題】
【０００４】
本考案の主な目的は、従来の構造のバネの代わりに磁石の互いの引力、又は斥力を利用して、ブラシと回転軸との間の接触力を制御することが可能であり、バネを無くすことにより、全体構造の体積が小さくなり、磁石が過熱になると、磁性が減少し、又は無くなり、これにより、各ブラシが各回転軸と接触することができず、エネルギーや信号を伝えることができず、過電流保護装置を形成することが可能であり、溶液（例えば水、オイル）中、又は空気中に置くことが可能であり、光電、機械分野の設備や加熱システム（例えば加熱ベース）に適用可能な回転式電気導通装置を提供することにある。
【課題を解決するための手段】
【０００５】
本考案の回転式電気導通装置によると、それぞれ一つの第１磁石が設けられており、その一端がワイヤを介して導電片と電気的に接続している少なくとも一つのブラシと、
各ブラシの導電片から遠ざかった他端がスライド可能に連接している少なくとも一つの回転軸と、
を含むことを特徴とする。
【０００６】
本考案の回転式電気導通装置によると、各第１磁石は、各ブラシの各導電片に近接する一端に設けられており、各導電片には、第１磁石に対向する第２磁石が設けられており、第１磁石と第２磁石との磁性が同じであり、各第１磁石と各第２磁石は、電磁石、又は永久磁石であることを特徴とする。
【０００７】
本考案の回転式電気導通装置によると、各第１磁石は、各ブラシの各回転軸に近接する一端に設けられており、各回転軸には、第１磁石に対向する第３磁石が設けられており、第１磁石と第３磁石との磁性が相反し、各第１磁石と各第３磁石は、電磁石、又は永久磁石であることを特徴とする。
【０００８】
本考案の回転式電気導通装置によると、各ブラシと各回転軸とは導電構造であり、導電構造は、金属の導電構造、又は非金属の導電構造であり、各ブラシは、各回転軸の軸方向に平行し、又は垂直し、各ブラシと各回転軸との間に黒鉛が組み付けられていることを特徴とする。
【考案の効果】
【０００９】
本考案の回転式電気導通装置によれば、次のような効果がある。
（１）従来の構造のバネの代わりに磁石の互いの引力、又は斥力を利用して、ブラシと回転軸との間の接触力を制御することが可能であり、バネを無くすことにより、全体構造の体積が小さくなる。
【００１０】
（２）磁石が過熱になると磁性が減少し、又は無くなり、これにより、各ブラシが各回転軸と接触することができず、エネルギーや信号を伝えることができず、過電流保護装置を形成することが可能である。
【００１１】
（３）溶液（例えば水、オイル）中、又は空気中に置くことが可能であり、光電、機械分野の設備や加熱システム（例えば加熱ベース）に適用可能である。
【図面の簡単な説明】
【００１２】
【図１】本考案の第１実施例に係るブラシが回転軸の軸方向に平行する状態を示す図である。
【図２】本考案の第１の実施例に係るブラシが回転軸の軸方向に垂直する状態を示す図である。
【図３】本考案の第２の実施例に係る回転式電気導通装置を示す模式図である。
【図４】従来のカーボンブラシの構造を示す模式図である。
【図５】従来の別のカーボンブラシの構造を示す模式図である。
【考案を実施するための形態】
【００１３】
以下、本考案の実施の形態を図面に基づいて説明する。
【００１４】
（第１の実施例）
図１から図２を参照する。図１は本考案の第１の実施例に係るブラシが回転軸の軸方向に平行する状態を示す図であり、図２は本考案の第１の実施例に係るブラシが回転軸の軸方向に垂直する状態を示す図である。本実施例に係る回転式電気導通装置は、少なくとも一つのブラシ１０と、少なくとも一つの回転軸３０と、を含む。
【００１５】
各ブラシ１０は、それぞれ一つの第１磁石１１が設けられており、その一端がワイヤ１２を介して導電片２０と電気的に接続している。
【００１６】
各回転軸３０には、各ブラシ１０の導電片２０から遠ざかった他端がスライド可能に連接されている。
【００１７】
各第１磁石は、図１及び図２に示すように、各ブラシ１０の各導電片２０に近接する一端に設けられている。各導電片２０には、第１磁石１１に対向する第２磁石２１が設けられている。第１磁石１１と第２磁石２１との磁性は同じである。これにより、第１磁石１１と第２磁石２１との間に斥力が生じて、各ブラシ１０が各回転軸３０に接触してエネルギーや信号を伝えることが可能である。
【００１８】
（第２の実施例）
図３を参照する。図３は本考案の第２の実施例に係る回転式電気導通装置を示す模式図である。各第１磁石１１は、各ブラシ１０の各回転軸３０に近接する一端に設けられている。各回転軸３０には、第１磁石１１に対向する第３磁石３１が設けられている。第１磁石１１と第３磁石３１との磁性は相反する。第１磁石１１と第３磁石３１との間に引力が生じて、各ブラシ１０が各回転軸３０に接触してエネルギーや信号を伝えることが可能である。
【００１９】
各ブラシ１０と各回転軸３０との間に黒鉛４０が組み付けられていてもよい。黒鉛４０が潤滑効果を有するため、各ブラシ１０と各回転軸３０の衝突を緩衝することが可能であり、各ブラシ１０と各回転軸３０との磨耗を減少することが可能である。黒鉛４０が磨耗されると、黒鉛４０を取替えることだけが必要であり、各ブラシ１０と各回転軸３０とを取り替えることを必要としないため、ランニングコストを減少することが可能である。
【００２０】
各第１磁石１１、各第２磁石２１及び各第３磁石３１は、電磁石、又は永久磁石である。
【００２１】
各ブラシ１０と各回転軸３０とは、金属（例えば銅、銀、アルミ、モリブデン）の導電構造、又は非金属の導電構造である。
【００２２】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２３】
本考案は、回転式電気導通装置に適用することができる。
【符号の説明】
【００２４】
１  バネ
２  炭素ブラシ
３  シャフト
４  ワイヤ
１０  ブラシ
１１  第１磁石
１２  ワイヤ
２０  導電片
２１  第２磁石
３０  回転軸
３１  第３磁石
４０  黒鉛
【図１】
0003198283.tif 000003
【図２】
0003198283.tif 000004
【図３】
0003198283.tif 000005
【図４】
0003198283.tif 000006
【図５】
0003198283.tif 000007